(57)【特許請求の範囲】
【請求項１】
ネットワークを介して情報を双方向に送受信する端末およびサーバにより構成される、画像検査計測用製品の営業支援システムであって、
前記端末は、前記ネットワークを介して情報を送受信する通信手段と、この通信手段を通じて、当該端末側の顧客が扱う検査対象物としての製品に対する画像処理による検査または計測に必要な所定データを含むリクエスト情報を前記サーバに送信するとともに、前記通信手段を通じて、そのサーバから配信されてくる画像処理プログラムを受信する処理を行う処理手段とを有し、
前記サーバは、前記ネットワークを介して情報を送受信する通信手段と、この通信手段を通じて、前記端末からのリクエスト情報を受信するとともに、このリクエスト情報に応じて前記画像処理プログラムを作成して当該サーバの通信手段を通じて前記端末に配信する処理を行う処理手段とを有する、
画像検査計測用製品の営業支援システムにおいて、
前記端末は、画面を有する表示手段と、この表示手段の画面の表示に従って入力を行うための入力手段とをさらに有し、
前記サーバは、各種画像処理プログラム作成用の複数種類の画像処理アルゴリズムを記憶している画像処理アルゴリズム記憶手段と、各種検査対象物の種類ごとに、検査フローおよび検査パラメータを記憶している検査対象種別標準検査フロー記憶手段とをさらに有し、
前記サーバの処理手段は、入力操作のガイダンスを前記表示手段の画面に表示し、前記所定データとして、前記ガイダンスの表示に従って前記入力手段で入力された検査対象物および検査領域の設定と検査フローおよび検査パラメータの選択、承認、変更もしくは設定とを取り込むとともに、選択、承認、変更もしくは設定された検査フローに基づいて、前記画像処理アルゴリズム記憶手段から画像処理アルゴリズムを選択して前記画像処理プログラムを作成する処理を行う
ことを特徴とする画像検査計測用製品の営業支援システム。
【請求項２】
前記リクエスト情報は、前記端末側の顧客が扱う検査対象物としての製品の画像データをさらに含み、
前記サーバの処理手段は、前記画像処理プログラムおよび選択、承認、変更もしくは設定された検査パラメータに従って、前記リクエスト情報に含まれる画像データに対して、前記検査対象物の外観の良否を判定するのに使用される画像処理結果を得るための画像処理を実行し、この画像処理結果から前記検査対象物の外観の良否を判定するとともに、これら画像処理結果および判定結果を、当該サーバの通信手段を通じて前記端末に送信する処理を行う
ことを特徴とする請求項１記載の画像検査計測用製品の営業支援システム。
【請求項３】
前記サーバの処理手段は、前記端末から、前記画像処理アルゴリズム記憶手段および検査対象種別標準検査フロー記憶手段で記憶されている各種情報のうち、所望の画像処理アルゴリズムおよび検査フローをダウンロードするための依頼を受けると、それらを、当該サーバの通信手段を通じて前記端末に送信する処理を行うことを特徴とする請求項１または２記載の画像検査計測用製品の営業支援システム。
【請求項４】
前記サーバは、画像処理アルゴリズムおよび検査フローを利用して画像処理プログラムを作成し、これを、前記端末側の顧客が扱う検査対象物としての製品の画像データに対して実行するためのアプリケーションを記憶しているアプリケーション記憶手段をさらに有し、
前記サーバの処理手段は、前記端末から、前記アプリケーション記憶手段で記憶されているアプリケーションをダウンロードするための依頼を受けると、それを、当該サーバの通信手段を通じて前記端末に送信する処理を行う
ことを特徴とする請求項１〜３のいずれかに記載の画像検査計測用製品の営業支援システム。
【請求項５】
前記端末の処理手段は、前記サーバから配信されてきた画像処理プログラムを、前記サーバからダウンロードしたアプリケーションを用いて実行し、画像処理結果および前記検査対象物の外観の良否判定結果を得て前記表示手段の画面に表示する処理を行うことを特徴とする請求項４記載の画像検査計測用製品の営業支援システム。
【請求項６】
前記サーバの処理手段は、前記画像処理結果および判定結果に基づいて、前記製品の画像データをより適切に得るための撮像条件の情報を、当該サーバの通信手段を通じて前記端末に送信する処理を行うことを特徴とする請求項２〜５のいずれかに記載の画像検査計測用製品の営業支援システム。
【請求項７】
前記リクエスト情報は、前記端末側の顧客が扱う検査対象物としての製品の画像データを、予め指定された画像フォーマットで含むことを特徴とする請求項１〜６のいずれかに記載の画像検査計測用製品の営業支援システム。
【請求項８】
前記リクエスト情報は、前記端末側の顧客が扱う検査対象物としての製品の画像データを、専用の画像フォーマットで暗号化された状態で含むことを特徴とする請求項１〜６のいずれかに記載の画像検査計測用製品の営業支援システム。
【請求項９】
前記所定データは前記検査対象物の製品情報を含むことを特徴とする請求項１〜８のいずれかに記載の画像検査計測用製品の営業支援システム。
【請求項１０】
前記所定データは前記製品の画像データについての撮像条件の情報を含むことを特徴とする請求項１〜９のいずれかに記載の画像検査計測用製品の営業支援システム。
【請求項１１】
前記所定データは前記製品の画像データについてその製品の検査領域の情報を含むことを特徴とする請求項１〜１０のいずれかに記載の画像検査計測用製品の営業支援システム。
【請求項１２】
前記所定データは前記検査対象物の外観検査の判定についての情報を含むことを特徴とする請求項１〜１１のいずれかに記載の画像検査計測用製品の営業支援システム。
【請求項１３】
前記リクエスト情報は前記画像データおよび所定データが一体化したデータであることを特徴とする請求項１〜１２のいずれかに記載の画像検査計測用製品の営業支援システム。
【請求項１４】
前記サーバは、検査対象物の外観検査についてのオンラインマニュアル情報を記憶しているオンラインマニュアル情報記憶手段をさらに有し、
前記サーバの処理手段は、前記端末から、前記オンラインマニュアル情報記憶手段で記憶されている情報を閲覧するための依頼を受けると、その情報を、当該サーバの通信手段を通じて前記端末に送信する処理を行う
ことを特徴とする請求項１〜１３のいずれかに記載の画像検査計測用製品の営業支援システム。
【請求項１５】
前記サーバは、検査対象物の外観検査についての質問および回答の情報を記憶しているＱ＆Ａ情報記憶手段をさらに有し、
前記サーバの処理手段は、前記端末から、前記Ｑ＆Ａ情報記憶手段で記憶されている情報を閲覧するための依頼を受けると、その情報を、当該サーバの通信手段を通じて前記端末に送信する処理を行う
ことを特徴とする請求項１〜１４のいずれかに記載の画像検査計測用製品の営業支援システム。
【請求項１６】
前記サーバは、検査対象物の外観検査についての事例情報を記憶している事例情報記憶手段をさらに有し、
前記サーバの処理手段は、前記端末から、前記事例情報記憶手段で記憶されている情報を閲覧するための依頼を受けると、その情報を、当該サーバの通信手段を通じて前記端末に送信する処理を行う
ことを特徴とする請求項１〜１５のいずれかに記載の画像検査計測用製品の営業支援システム。
【請求項１７】
前記サーバは、各種画像検査計測用製品の情報を記憶している製品情報記憶手段をさらに有し、
前記サーバの処理手段は、前記製品情報記憶手段から前記リクエスト情報に合った情報を抽出して当該サーバの通信手段を通じて前記端末に送信する処理を行う
ことを特徴とする請求項１〜１６のいずれかに記載の画像検査計測用製品の営業支援システム。
【請求項１８】
前記サーバの処理手段は、前記端末側の顧客に対して、当該サーバから配信ないしダウンロードされた情報に応じて課金をするための処理を行うことを特徴とする請求項１〜１７のいずれかに記載の画像検査計測用製品の営業支援システム。
【請求項１９】
前記配信される画像処理プログラムは、一定期間無料で使用することができるシェアウエアであることを特徴とする請求項１〜１７のいずれかに記載の画像検査計測用製品の営業支援システム。
【請求項２０】
前記課金については、基本料金と追加料金とがあり、
前記サーバの処理手段は、前記基本料金以上の情報を当該サーバから取得した顧客に対しては、その超過した分に応じて追加料金を課金するための処理を行う
ことを特徴とする請求項１８記載の画像検査計測用製品の営業支援システム。
【請求項２１】
ネットワークを介して情報を送受信する通信手段をそれぞれが有する端末およびサーバにより構成される、画像検査計測用製品の営業支援システムが実行する方法であって、
前記端末の処理手段が、当該端末の通信手段を通じて、当該端末側の顧客が扱う検査対象物としての製品に対する画像処理による検査または計測に必要な所定データを含むリクエスト情報を前記サーバに送信するステップと、
前記サーバの処理手段が、当該サーバの通信手段を通じて、前記端末からのリクエスト情報を受信するステップと、
前記サーバの処理手段が、前記リクエスト情報に応じて画像処理プログラムを作成するステップと、
前記サーバの処理手段が、当該サーバの通信手段を通じて、前記画像処理プログラムを前記端末に配信するステップと、
前記端末の処理手段が、当該端末の通信手段を通じて、前記サーバからの画像処理プログラムを受信するステップと
を有し、
前記端末は、画面を有する表示手段と、この表示手段の画面の表示に従って入力を行うための入力手段とをさらに有し、
前記サーバは、各種画像処理プログラム作成用の複数種類の画像処理アルゴリズムを記憶している画像処理アルゴリズム記憶手段と、各種検査対象物の種類ごとに、検査フローおよび検査パラメータを記憶している検査対象種別標準検査フロー記憶手段とをさらに有する、
画像検査計測用製品の営業支援方法において、
前記サーバの処理手段が、入力操作のガイダンスを前記表示手段の画面に表示するステップと、
前記サーバの処理手段が、前記所定データとして、前記ガイダンスの表示に従って前記入力手段で入力された検査対象物および検査領域の設定と検査フローおよび検査パラメータの選択、承認、変更もしくは設定とを取り込むステップと、
前記サーバの処理手段が、選択、承認、変更もしくは設定された検査フローに基づいて、前記画像処理アルゴリズム記憶手段から画像処理アルゴリズムを選択して前記画像処理プログラムを作成するステップと
を有することを特徴とする画像検査計測用製品の営業支援方法。
【請求項２２】
ネットワークを介して情報を送受信する通信手段と、画面を有する表示手段と、この表示手段の画面の表示に従って入力を行うための入力手段とを有し、前記通信手段を通じて、顧客が扱う検査対象物としての製品に対する画像処理による検査または計測に必要な所定データを含むリクエスト情報を送信してくる端末に対して、画像処理プログラムを配信するサーバであって、
前記ネットワークを介して情報を送受信する通信手段と、
この通信手段を通じて、前記端末からのリクエスト情報を受信するとともに、このリクエスト情報に応じて前記画像処理プログラムを作成して、当該通信手段を通じて、前記端末に配信する処理を行う処理手段と
を有するサーバにおいて、
前記サーバは、各種画像処理プログラム作成用の複数種類の画像処理アルゴリズムを記憶している画像処理アルゴリズム記憶手段と、各種検査対象物の種類ごとに、検査フローおよび検査パラメータを記憶している検査対象種別標準検査フロー記憶手段とをさらに有し、
前記サーバの処理手段は、入力操作のガイダンスを前記表示手段の画面に表示し、前記所定データとして、前記ガイダンスの表示に従って前記入力手段で入力された検査対象物および検査領域の設定と検査フローおよび検査パラメータの選択、承認、変更もしくは設定とを取り込むとともに、選択、承認、変更もしくは設定された検査フローに基づいて、前記画像処理アルゴリズム記憶手段から画像処理アルゴリズムを選択して前記画像処理プログラムを作成する処理を行う
ことを特徴とするサーバ。
【発明の詳細な説明】
【０００１】
【発明の属する技術分野】
本発明は、検査対象物をＴＶカメラのような撮像手段により撮像して得られた画像に基づいて、撮像された検査対象物の外観の良否を判定したり、寸法ないし位置などを計測するための画像検査計測用製品の営業支援システム、その方法およびサーバに関するものである。
【０００２】
【従来の技術】
従来、生産ラインでは、製品（検査対象物）としての部品、中間製品および完成品などの撮像を行い、所定の外観検査プログラムおよび所定の検査パラメータに従って、上記撮像で得られた画像データに対して画像処理を実行し、画像処理結果が良品範囲内であれば製品を外観上良品と判定し、そうでなければ製品を外観上不良品と判定する外観検査装置が使用されている。
【０００３】
この外観検査装置で使用される外観検査プログラムおよび検査パラメータは、生産ラインでの実使用の前に、外観上良品となる製品の画像データ（良品画像データという）および外観上不良品となる製品の画像データ（不良品画像データという）を使用して、製品に対する適切な外観の良否判定が行われるように調整される。
【０００４】
なお、特開平９−３０５６７５号公報には、汎用アプリケーションソフトウェアの購入者が該汎用アプリケーションソフトウェアを利用するまで、該汎用アプリケーションソフトウェアの開発又は販売者がサーバコンピュータ上で該汎用アプリケーションソフトウェアの管理及び保守を行い、ネットワークを通じて、購入者が所望する汎用アプリケーションソフトウェアのうちの所望の機能のみを購入可能とした汎用アプリケーションソフトウェアの配布方式が記載されている。
【０００５】
【発明が解決しようとする課題】
このように、顧客が所望する外観検査装置は個別の顧客によって要求仕様が異なるものであり、外観検査装置のプログラム、すなわち外観検査のアプリケーションソフトウェアは、標準的な画像処理サブルーチンで組み立てられても、最終的には個別の顧客別の専用的なものとなることがほとんどである。したがって、従来の技術にある汎用アプリケーションソフトウェアの配布方式では、この専用的な外観検査のアプリケーションソフトウェアを配布することができない。
【０００６】
ところで、外観検査プログラムを簡単に作成することができ、正確で信頼性の高い外観検査を行うことができるようにするべく、本出願人により外観検査プログラム作成装置およびその方法が別途提案されている（特願２０００−１９３４０８）。
【０００７】
図２８はその外観検査プログラム作成装置のブロック図、図２９は図２８の各ブロックの説明図、図３０は図２８の外観検査プログラム作成装置を用いて行われる外観検査プログラムの作成手順を示す流れ図である。
【０００８】
図２８に示す外観検査プログラム作成装置は、外観検査プログラムおよび所定の検査パラメータに従って、検査対象物を撮像して得た画像データに対して画像処理を実行し、画像処理結果から検査対象物の外観の良否を判定する外観検査装置のための外観検査プログラムを作成する装置であり、入力部１、表示部２、画像データ記憶部３、画像処理アルゴリズム記憶部４、検査対象種別標準検査フロー記憶部５および検査処理部６を備えている。ただし、検査パラメータには、画像処理とともに使用され、検査領域やフィルタリング処理、２値化処理、微分処理などの各画像処理レベルなどを設定するための設定パラメータと、外観の良否を判定するために画像処理結果とともに使用される判定パラメータとがある。
【０００９】
これら各部についてまず概要を説明すると、入力部１は、図２９に示すように、キーボード１ａやマウス１ｂなどにより構成され、表示部２の画面の表示に従って入力を行うためのものである。
【００１０】
表示部２は、ＣＲＴやＬＣＤなどの表示装置であり、図２９の例に示すように、画像処理の前後の画像表示および入力操作のガイダンスのウインドウ表示などに使用される。
【００１１】
画像データ記憶部３は、磁気ディスクまたは光磁気ディスクなどの記録メディアにデータを記録し再生する記録再生装置により構成され、ＣＣＤカメラ７１および信号処理部７２などにより構成される撮像部７を用いて予め行った撮像で得た各種検査対象物の複数種類の良品画像データおよび不良品画像データを記憶している。例えば、図２９に示すように、検査対象物の種別がスイッチの場合、スイッチフォルダ下に複数種類の良品画像データおよび不良品画像データを格納すべく、不良品フォルダおよびクラックフォルダなどが設けられ、各フォルダに該当する画像データが納められる。
【００１２】
画像処理アルゴリズム記憶部４は、磁気ディスクまたは光磁気ディスクなどの記録メディアにデータを記録し再生する記録再生装置により構成され、外観検査プログラム作成用として、例えば薄色異物検査およびひび検査などの複数種類の画像処理アルゴリズムを記憶している。
【００１３】
検査対象種別標準検査フロー記憶部５は、磁気ディスクまたは光磁気ディスクなどの記録メディアにデータを記録し再生する記録再生装置により構成され、検査対象物の種類ごとに、その種類に適した検査フローおよび検査パラメータを記憶している。各検査フローは、少なくとも１つの画像処理アルゴリズムによる画像処理と、その画像処理結果と当該検査フローに対応する検査パラメータとから外観の良否判定を行う判定処理とにより構築される（図２９のＡ，Ｂ，…参照）。
【００１４】
なお、画像データ記憶部３、画像処理アルゴリズム記憶部４および検査対象種別標準検査フロー記憶部５を構成する記録再生装置は、物理的に同一のものでもよくあるいは別個のものでもよいことは言うまでもない。
【００１５】
検査処理部６は、ＣＰＵ、メモリおよび本外観検査プログラム作成装置用の所定のプログラムにより構成され、本外観検査プログラム作成装置全般の制御などの処理を行うものであり、例えば、入力操作のガイダンスを表示部２の画面に表示する処理を行う。
【００１６】
また、ガイダンスの表示に従って入力部１で入力された、検査対象物および検査領域の設定と検査フローおよび検査パラメータの選択、承認、変更もしくは設定とを取り込む処理が行われる。
【００１７】
さらに、選択、承認、変更もしくは設定された検査フローに基づいて、画像処理アルゴリズム記憶部４から画像処理アルゴリズムを選択して外観検査プログラム（の候補）を作成し、この外観検査プログラムおよび選択、承認、変更もしくは設定された検査パラメータに従って、良品画像データおよび不良品画像データに対して画像処理を実行し、画像処理結果から検査対象物の外観の良否を判定するとともに、画像処理結果および判定結果を表示部２の画面に表示する処理が行われる。
【００１８】
次に、外観検査プログラム作成装置を用いて行われる外観検査プログラムの作成手順を説明する。図３０において、ユーザによる検査対象物の種別（図３０では検査対象タイプ）および検査領域の選択および設定（Ｓ１００）、照明および撮像条件の選択（Ｓ１０１）、検査対象物の種別に応じた良品画像データおよび不良品画像データの選択（Ｓ１０２）、画像処理アルゴリズムの選択（Ｓ１０３）、検査パラメータの設定（Ｓ１０４）、画像処理（Ｓ１０５）および画像処理前後の両画像の表示（Ｓ１０６）が順次行われる。
【００１９】
この後、画像処理を実行すべき画像データの終了判定が行われ（Ｓ１０７）、終了しなければ（Ｓ１０７でＮ）、ステップＳ１０５に戻り、終了すれば（Ｓ１０７でＹ）、外観の良否判定結果の一覧表が表示される（Ｓ１０８）。
【００２０】
この後、検査対象物の種別を再設定しないかどうかの判定が行われ（Ｓ１０９）、再設定する場合（Ｓ１０９でＮ）、ステップＳ１００に戻り、再設定しない場合（Ｓ１０９でＹ）、本フローは終了する。
【００２１】
要するに、良不良および外観の不良の程度が異なる複数種類の検査対象物を撮像部７で撮像して画像データを取り込み、これら画像データを予め画像データ記憶部３に良品不良品別および外観の良否の程度を区分するランク別に記憶する。
【００２２】
そして、入力部１で入力された検査対象種別（検査対象物の種別）データおよび検査領域に基づいて、検査対象種別標準検査フロー記憶部５から検査フローを選択し、画像処理アルゴリズム記憶部４から必要な画像処理アルゴリズムをピックアップして、良品画像データおよび不良品画像データに対し画像処理を実行する。この後、画像処理結果と検査フローに対応する検査パラメータとから外観の良否判定を得て、その良否判定結果を表示部２の画面に表示し、これにより、ユーザに対し、確認、承認、変更または設定を促す。そして、ユーザの再設定によって、良否判定結果とこの結果に該当する画像の良否とが所定の一致度に達するまで繰り返される。そして、所定の一致度に達すれば、外観検査プログラムの作成が完了するのである。
【００２３】
以上の如く、予め用意した良品画像データおよび不良品画像データと検査対象物の種別に対する標準の検査フローとに基づいて、外観検査プログラムが作成されるので、画像処理に特別な知識を有しないユーザでも容易に外観検査プログラムを作成することができる。なお、より詳細な内容については上記出願を参照されたい。
【００２４】
しかしながら、上記外観検査プログラム作成装置およびその方法では、画像処理に特別な知識を有しないユーザでも容易に外観検査プログラムを作成することができるものの、作成された外観検査プログラム自体を販売することができなかった。例えば、個別にユーザを訪問し、その場でユーザの要求に基づいて外観検査プログラムを個別に作成し、その外観検査プログラム自体を販売することは、非常に営業の手間がかかり、また何度も足を運ぶことも生じ、営業的に採算のとれるものではなかった。
【００２５】
また、一般的に、外観検査プログラム、すなわちいわゆる画像処理プログラムを販売する場合、それを実際に使用して外観検査または計測に使えるかどうかを確認した上でないと、その購入になかなか踏み切れないといった問題もある。この問題は、画像処理プログラムおよびこれを実行する画像処理装置を同時に導入しようと計画している顧客にとっても同様に生じる。
【００２６】
さらに、画像処理プログラムおよびこれを実行する画像処理装置は、検査対象物となる製品のライフサイクルに影響されるので、ライフサイクルの短い製品を扱う顧客に対してはスピーディな営業活動が求められる。
【００２７】
本発明は、上記事情に鑑みてなされたものであり、各顧客からの要求に個々に合わせて作成された画像処理プログラム自体の販売を可能にするとともに営業的に採算がとれるものにし、少なくとも画像処理プログラムを購入しようとする顧客にとっての購入に伴うリスクを軽減し、スピーディな営業活動を可能にし、そして販売に伴うエンジニアリングコストの低減を可能にする、画像検査計測用製品の営業支援システム、その方法およびサーバを提供することを目的とする。
【００２８】
【課題を解決するための手段】
上記課題を解決するための請求項１記載の発明は、ネットワークを介して情報を双方向に送受信する端末およびサーバにより構成される、画像検査計測用製品の営業支援システムであって、前記端末は、前記ネットワークを介して情報を送受信する通信手段と、この通信手段を通じて、当該端末側の顧客が扱う検査対象物としての製品に対する画像処理による検査または計測に必要な所定データを含むリクエスト情報を前記サーバに送信するとともに、前記通信手段を通じて、そのサーバから配信されてくる画像処理プログラムを受信する処理を行う処理手段とを有し、前記サーバは、前記ネットワークを介して情報を送受信する通信手段と、この通信手段を通じて、前記端末からのリクエスト情報を受信するとともに、このリクエスト情報に応じて前記画像処理プログラムを作成して当該サーバの通信手段を通じて前記端末に配信する処理を行う処理手段とを有する、画像検査計測用製品の営業支援システムにおいて、前記端末は、画面を有する表示手段と、この表示手段の画面の表示に従って入力を行うための入力手段とをさらに有し、前記サーバは、各種画像処理プログラム作成用の複数種類の画像処理アルゴリズムを記憶している画像処理アルゴリズム記憶手段と、各種検査対象物の種類ごとに、検査フローおよび検査パラメータを記憶している検査対象種別標準検査フロー記憶手段とをさらに有し、前記サーバの処理手段は、入力操作のガイダンスを前記表示手段の画面に表示し、前記所定データとして、前記ガイダンスの表示に従って前記入力手段で入力された検査対象物および検査領域の設定と検査フローおよび検査パラメータの選択、承認、変更もしくは設定とを取り込むとともに、選択、承認、変更もしくは設定された検査フローに基づいて、前記画像処理アルゴリズム記憶手段から画像処理アルゴリズムを選択して前記画像処理プログラムを作成する処理を行うことを特徴とする。
【００３０】
請求項２記載の発明は、請求項１記載の画像検査計測用製品の営業支援システムにおいて、前記リクエスト情報は、前記端末側の顧客が扱う検査対象物としての製品の画像データをさらに含み、前記サーバの処理手段は、前記画像処理プログラムおよび選択、承認、変更もしくは設定された検査パラメータに従って、前記リクエスト情報に含まれる画像データに対して、前記検査対象物の外観の良否を判定するのに使用される画像処理結果を得るための画像処理を実行し、この画像処理結果から前記検査対象物の外観の良否を判定するとともに、これら画像処理結果および判定結果を、当該サーバの通信手段を通じて前記端末に送信する処理を行うことを特徴とする。
【００３１】
請求項３記載の発明は、請求項１または２記載の画像検査計測用製品の営業支援システムにおいて、前記サーバの処理手段は、前記端末から、前記画像処理アルゴリズム記憶手段および検査対象種別標準検査フロー記憶手段で記憶されている各種情報のうち、所望の画像処理アルゴリズムおよび検査フローをダウンロードするための依頼を受けると、それらを、当該サーバの通信手段を通じて前記端末に送信する処理を行うことを特徴とする。
【００３２】
請求項４記載の発明は、請求項１〜３のいずれかに記載の画像検査計測用製品の営業支援システムにおいて、前記サーバは、画像処理アルゴリズムおよび検査フローを利用して画像処理プログラムを作成し、これを、前記端末側の顧客が扱う検査対象物としての製品の画像データに対して実行するためのアプリケーションを記憶しているアプリケーション記憶手段をさらに有し、前記サーバの処理手段は、前記端末から、前記アプリケーション記憶手段で記憶されているアプリケーションをダウンロードするための依頼を受けると、それを、当該サーバの通信手段を通じて前記端末に送信する処理を行うことを特徴とする。
【００３３】
請求項５記載の発明は、請求項４記載の画像検査計測用製品の営業支援システムにおいて、前記端末の処理手段は、前記サーバから配信されてきた画像処理プログラムを、前記サーバからダウンロードしたアプリケーションを用いて実行し、画像処理結果および前記検査対象物の外観の良否判定結果を得て前記表示手段の画面に表示する処理を行うことを特徴とする。
【００３４】
請求項６記載の発明は、請求項２〜５のいずれかに記載の画像検査計測用製品の営業支援システムにおいて、前記サーバの処理手段は、前記画像処理結果および判定結果に基づいて、前記製品の画像データをより適切に得るための撮像条件の情報を、当該サーバの通信手段を通じて前記端末に送信する処理を行うことを特徴とする。
【００３５】
請求項７記載の発明は、請求項１〜６のいずれかに記載の画像検査計測用製品の営業支援システムにおいて、前記リクエスト情報は、前記端末側の顧客が扱う検査対象物としての製品の画像データを、予め指定された画像フォーマットで含むことを特徴とする。
【００３６】
請求項８記載の発明は、請求項１〜６のいずれかに記載の画像検査計測用製品の営業支援システムにおいて、前記リクエスト情報は、前記端末側の顧客が扱う検査対象物としての製品の画像データを、専用の画像フォーマットで暗号化された状態で含むことを特徴とする。
【００３７】
請求項９記載の発明は、請求項１〜８のいずれかに記載の画像検査計測用製品の営業支援システムにおいて、前記所定データは前記検査対象物の製品情報を含むことを特徴とする。
【００３８】
請求項１０記載の発明は、請求項１〜９のいずれかに記載の画像検査計測用製品の営業支援システムにおいて、前記所定データは前記製品の画像データについての撮像条件の情報を含むことを特徴とする。
【００３９】
請求項１１記載の発明は、請求項１〜１０のいずれかに記載の画像検査計測用製品の営業支援システムにおいて、前記所定データは前記製品の画像データについてその製品の検査領域の情報を含むことを特徴とする。
【００４０】
請求項１２記載の発明は、請求項１〜１１のいずれかに記載の画像検査計測用製品の営業支援システムにおいて、前記所定データは前記検査対象物の外観検査の判定についての情報を含むことを特徴とする。
【００４１】
請求項１３記載の発明は、請求項１〜１２のいずれかに記載の画像検査計測用製品の営業支援システムにおいて、前記リクエスト情報は前記画像データおよび所定データが一体化したデータであることを特徴とする。
【００４２】
請求項１４記載の発明は、請求項１〜１３のいずれかに記載の画像検査計測用製品の営業支援システムにおいて、前記サーバは、検査対象物の外観検査についてのオンラインマニュアル情報を記憶しているオンラインマニュアル情報記憶手段をさらに有し、前記サーバの処理手段は、前記端末から、前記オンラインマニュアル情報記憶手段で記憶されている情報を閲覧するための依頼を受けると、その情報を、当該サーバの通信手段を通じて前記端末に送信する処理を行うことを特徴とする。
【００４３】
請求項１５記載の発明は、請求項１〜１４のいずれかに記載の画像検査計測用製品の営業支援システムにおいて、前記サーバは、検査対象物の外観検査についての質問および回答の情報を記憶しているＱ＆Ａ情報記憶手段をさらに有し、前記サーバの処理手段は、前記端末から、前記Ｑ＆Ａ情報記憶手段で記憶されている情報を閲覧するための依頼を受けると、その情報を、当該サーバの通信手段を通じて前記端末に送信する処理を行うことを特徴とする。
【００４４】
請求項１６記載の発明は、請求項１〜１５のいずれかに記載の画像検査計測用製品の営業支援システムにおいて、前記サーバは、検査対象物の外観検査についての事例情報を記憶している事例情報記憶手段をさらに有し、前記サーバの処理手段は、前記端末から、前記事例情報記憶手段で記憶されている情報を閲覧するための依頼を受けると、その情報を、当該サーバの通信手段を通じて前記端末に送信する処理を行うことを特徴とする。
【００４５】
請求項１７記載の発明は、請求項１〜１６のいずれかに記載の画像検査計測用製品の営業支援システムにおいて、前記サーバは、各種画像検査計測用製品の情報を記憶している製品情報記憶手段をさらに有し、前記サーバの処理手段は、前記製品情報記憶手段から前記リクエスト情報に合った情報を抽出して当該サーバの通信手段を通じて前記端末に送信する処理を行うことを特徴とする。
【００４６】
請求項１８記載の発明は、請求項１〜１７のいずれかに記載の画像検査計測用製品の営業支援システムにおいて、前記サーバの処理手段は、前記端末側の顧客に対して、当該サーバから配信ないしダウンロードされた情報に応じて課金をするための処理を行うことを特徴とする。
【００４７】
請求項１９記載の発明は、請求項１〜１７のいずれかに記載の画像検査計測用製品の営業支援システムにおいて、前記配信される画像処理プログラムは、一定期間無料で使用することができるシェアウエアであることを特徴とする。
【００４８】
請求項２０記載の発明は、請求項１８記載の画像検査計測用製品の営業支援システムにおいて、前記課金については、基本料金と追加料金とがあり、前記サーバの処理手段は、前記基本料金以上の情報を当該サーバから取得した顧客に対しては、その超過した分に応じて追加料金を課金するための処理を行うことを特徴とする。
【００４９】
請求項２１記載の発明は、ネットワークを介して情報を送受信する通信手段をそれぞれが有する端末およびサーバにより構成される、画像検査計測用製品の営業支援システムが実行する方法であって、前記端末の処理手段が、当該端末の通信手段を通じて、当該端末側の顧客が扱う検査対象物としての製品に対する画像処理による検査または計測に必要な所定データを含むリクエスト情報を前記サーバに送信するステップと、前記サーバの処理手段が、当該サーバの通信手段を通じて、前記端末からのリクエスト情報を受信するステップと、前記サーバの処理手段が、前記リクエスト情報に応じて画像処理プログラムを作成するステップと、前記サーバの処理手段が、当該サーバの通信手段を通じて、前記画像処理プログラムを前記端末に配信するステップと、前記端末の処理手段が、当該端末の通信手段を通じて、前記サーバからの画像処理プログラムを受信するステップとを有し、前記端末は、画面を有する表示手段と、この表示手段の画面の表示に従って入力を行うための入力手段とをさらに有し、前記サーバは、各種画像処理プログラム作成用の複数種類の画像処理アルゴリズムを記憶している画像処理アルゴリズム記憶手段と、各種検査対象物の種類ごとに、検査フローおよび検査パラメータを記憶している検査対象種別標準検査フロー記憶手段とをさらに有する、画像検査計測用製品の営業支援方法において、前記サーバの処理手段が、入力操作のガイダンスを前記表示手段の画面に表示するステップと、前記サーバの処理手段が、前記所定データとして、前記ガイダンスの表示に従って前記入力手段で入力された検査対象物および検査領域の設定と検査フローおよび検査パラメータの選択、承認、変更もしくは設定とを取り込むステップと、前記サーバの処理手段が、選択、承認、変更もしくは設定された検査フローに基づいて、前記画像処理アルゴリズム記憶手段から画像処理アルゴリズムを選択して前記画像処理プログラムを作成するステップとを有することを特徴とする。
【００５０】
請求項２２記載の発明は、ネットワークを介して情報を送受信する通信手段と、画面を有する表示手段と、この表示手段の画面の表示に従って入力を行うための入力手段とを有し、前記通信手段を通じて、顧客が扱う検査対象物としての製品に対する画像処理による検査または計測に必要な所定データを含むリクエスト情報を送信してくる端末に対して、画像処理プログラムを配信するサーバであって、前記ネットワークを介して情報を送受信する通信手段と、この通信手段を通じて、前記端末からのリクエスト情報を受信するとともに、このリクエスト情報に応じて前記画像処理プログラムを作成して、当該通信手段を通じて、前記端末に配信する処理を行う処理手段とを有するサーバにおいて、前記サーバは、各種画像処理プログラム作成用の複数種類の画像処理アルゴリズムを記憶している画像処理アルゴリズム記憶手段と、各種検査対象物の種類ごとに、検査フローおよび検査パラメータを記憶している検査対象種別標準検査フロー記憶手段とをさらに有し、前記サーバの処理手段は、入力操作のガイダンスを前記表示手段の画面に表示し、前記所定データとして、前記ガイダンスの表示に従って前記入力手段で入力された検査対象物および検査領域の設定と検査フローおよび検査パラメータの選択、承認、変更もしくは設定とを取り込むとともに、選択、承認、変更もしくは設定された検査フローに基づいて、前記画像処理アルゴリズム記憶手段から画像処理アルゴリズムを選択して前記画像処理プログラムを作成する処理を行うことを特徴とする。
【００５１】
【発明の実施の形態】
（第１実施形態）
図１は画像検査計測用製品の営業支援システムのブロック図、図２は図１の営業支援システム全体の概略図である。
【００５２】
第１実施形態の営業支援システムは、図２に示すように、インターネットＩＮを介して情報を双方向に送受信する複数の端末ＡおよびサーバＢにより構成されている。
【００５３】
端末Ａは、画像検査計測用製品の販売の対象となる顧客により使用される例えばコンピュータであって、図１に示すように、入力部１と、表示部２と、撮像部７とを図２８の外観検査プログラム作成装置と同様に一体または別体で備えているほか、インターネットＩＮを介して情報を送受信するデータ通信インターフェース（通信部）８と、処理部Ａ６とを備えている。ただし、上記画像検査計測用製品には、画像処理プログラム、画像処理装置およびこれらを組み合わせたものなどがある。
【００５４】
処理部Ａ６は、端末Ａのコンピュータを構成する主記憶装置、中央処理装置およびこれによって実行されるプログラムにより構成され、端末Ａ全般の制御などの処理を実行するものであり、例えば、サーバＢとのアクセス時に顧客認証用のデータを送信する処理を行うアクセス処理機能Ａ６０と、当該端末Ａ側の顧客が扱う検査対象物としての製品の画像データ（図２では良品、不良品画像データ）並びに画像処理による検査または計測に必要な所定データ（図２では「検査計測情報」）を含むリクエスト情報を、通信部８を通じてサーバＢに送信する処理を行うリクエスト情報送信処理機能Ａ６１と、通信部８を通じて、サーバＢから配信されてくる画像処理プログラムを受信する処理を行う画像処理プログラム受信処理機能Ａ６５とを有している。
【００５５】
サーバＢは、画像検査計測用製品を販売するために使用される少なくとも１台のコンピュータ（複数台の場合、例えばＬＡＮを介して、ＷＷＷサーバ、ファイルサーバ、ＦＴＰサーバなどが有機的に結びついて構成されるサーバシステム）であって、インターネットＩＮを介して情報を送受信するデータ通信インターフェース（通信部）９と、データベースＤＢを構成し端末Ａからの画像データを記憶するための画像データ記憶部３ａとを備えているほか、処理部Ｂ６を備えている。
【００５６】
この処理部Ｂ６は、サーバＢのコンピュータを構成する主記憶装置、中央処理装置およびこれによって実行されるプログラムにより構成され、サーバＢ全般の制御などの処理を実行するものであり、例えば、通信部９を通じてリモート先からアクセスを受けると、そのアクセス先が予め登録された顧客であるかどうかを認証する処理を行う顧客認証処理機能Ｂ６０と、通信部９を通じて、端末Ａからのリクエスト情報を受信する処理を行うリクエスト情報受信処理機能Ｂ６１と、リクエスト情報に応じて画像処理プログラムを作成する処理を行う画像処理プログラム作成処理機能（図２では「画像検査計測用プログラム作成処理機能」）Ｂ６２と、通信部９を通じて、画像処理プログラムを端末Ａに配信する処理を行う画像処理プログラム配信処理機能Ｂ６５とを有している。
【００５７】
なお、配信される画像処理プログラムの購入またはレンタル使用などに対しては、図２中の「課金処理機能」により、予め定められた課金規定に従って顧客に課金する処理が行われるが、これについては後述する。
【００５８】
また、リクエスト情報送信処理機能Ａ６１および画像処理プログラム受信処理機能Ａ６５は、アクセス処理機能Ａ６０によってサーバＢへのアクセスが成功した時のみに作動し、リクエスト情報受信処理機能Ｂ６１、画像処理プログラム作成処理機能Ｂ６２および画像処理プログラム配信処理機能Ｂ６５も、アクセス先が顧客認証処理機能Ｂ６０によって予め登録された顧客であることが確認された時のみに作動することは言うまでもない。
【００５９】
次に、第１実施形態の営業支援システムの動作について説明する。ある端末Ａにおいて、顧客認証用のデータを用いてサーバＢにアクセスする処理が実行されると、サーバＢにおいて、端末Ａからの顧客認証用のデータによってそのアクセス先が予め登録された顧客であることが確認される。これにより、端末ＡとサーバＢとの間での情報の送受信が引き続き許容される。
【００６０】
この後、端末ＡからサーバＢにリクエスト情報が送信され、これを受信したサーバＢにおいて、リクエスト情報に応じて画像処理プログラムを作成する処理が実行される。続いて、作成された画像処理プログラムがサーバＢから端末Ａに配信される。これにより、画像処理プログラムが端末Ａによって受信されることになる。なお、サーバの画像処理プログラム作成処理は、リクエスト情報に従う自動作成でもよいが、サーバの操作をする専門オペレータを配置し、専門オペレータが画像処理プログラム作成処理機能Ｂ６２の操作をし、顧客からのリクエスト情報を解釈しながら、顧客が要求する画像処理プログラムを作成するようにすれば、より最適な画像処理プログラムを作成することができる。また、顧客のリクエスト情報が不明確であったり、あるいは作成処理過程で確認すべき点が発生するような場合もあり、このような場合は画像処理プログラムの作成過程にて、数回顧客と情報の送受信をしながら、本来顧客が要求する内容を確認しながら、画像処理プログラムを作成すればよい。
【００６１】
以上、第１実施形態によれば、各顧客からの要求に個々に合わせて作成された画像処理プログラム自体の販売を可能にするとともに営業的に採算がとれるものにすることができる。また、配信される画像処理プログラムを一定期間無料で試用することができるようにすれば、少なくとも画像処理プログラムを購入しようとする顧客にとっての購入に伴うリスクを軽減することが可能になる。さらに、インターネットを介して、顧客主導で画像処理プログラムが配信されるので、スピーディな営業活動が可能になるとともに、販売に伴うエンジニアリングコストの低減が可能となる。
【００６２】
（第２実施形態）
図３は画像検査計測用製品の営業支援システムのブロック図である。
【００６３】
第２実施形態の営業支援システムは、図３に示すように、サーバＢにおけるデータベースＤＢの構成および画像処理プログラム作成処理機能Ｂ６２の構成が第１実施形態のそれらと相違している。
【００６４】
すなわち、データベースＤＢとして、各種画像処理プログラム作成用の複数種類の画像処理アルゴリズムを記憶している画像処理アルゴリズム記憶部４と、各種検査対象物の種類ごとに、検査フローおよび検査パラメータを記憶している検査対象種別標準検査フロー記憶部５とが、図２８の外観検査プログラム作成装置と同様にさらに具備されている。そして、画像処理プログラム作成処理機能Ｂ６２は、例えばＷＷＷサーバの機能により、入力操作のガイダンスを表示部２の画面に表示する処理を行うガイダンス表示処理機能Ｂ６２０と、例えばＷＷＷサーバの機能および端末Ａのブラウザ機能を通じて、所定データ（検査計測情報）として、ガイダンスの表示に従って入力部１で入力された検査対象物および検査領域の設定と検査フローおよび検査パラメータの選択、承認、変更もしくは設定とを取り込む処理を行う取込処理機能Ｂ６２１と、選択、承認、変更もしくは設定された検査フローに基づいて、画像処理アルゴリズム記憶部４から画像処理アルゴリズムを選択して画像処理プログラムを作成する処理を行う作成処理機能Ｂ６２２とにより構成されている。
【００６５】
ただし、ＷＷＷサーバおよびブラウザの各機能を利用する構成の場合には、端末Ａにおいて、リクエスト情報送信処理機能Ａ６１は、ブラウザ機能および通信部８を通じてリクエスト情報をサーバＢに送信する処理を行い、画像処理プログラム受信処理機能Ａ６５は、通信部８およびブラウザ機能を通じてサーバＢから配信されてくる画像処理プログラムを受信する処理を行うことになる。
【００６６】
このような構成の営業支援システムでは、端末Ａ側の顧客がその表示部２の画面に表示されたガイダンスに従って、検査対象物および検査領域の設定と検査フローおよび検査パラメータの選択、承認、変更もしくは設定とを所定データとして、入力部１を通じて入力することになる。そして、所定データがサーバＢに取り込まれ、選択、承認、変更もしくは設定された検査フローに基づいて、画像処理プログラムが作成されることになる。
【００６７】
以上、第２実施形態によれば、第１実施形態と同様の効果が得られるほか、ガイダンスに従って画像処理プログラムが作成されることになるから、画像処理に関する知識を持たない顧客でも、自らの操作入力で画像処理プログラムを作成して取得することができる。
【００６８】
（第３実施形態）
図４は画像検査計測用製品の営業支援システムのブロック図、図５は図４の営業支援システム全体の概略図である。
【００６９】
第３実施形態の営業支援システムは、図４に示すように、サーバＢにおける処理部Ｂ６の構成が第２実施形態のそれと相違している。すなわち、画像処理プログラムおよび選択、承認、変更もしくは設定された検査パラメータに従って、リクエスト情報に含まれる画像データに対して画像処理を実行する実行処理機能Ｂ６３と、画像処理結果から検査対象物の外観の良否を判定する処理を行う判定処理機能Ｂ６４と、画像処理結果および判定結果を、通信部９を通じて端末Ａに送信する処理を行う結果送信処理機能Ｂ６６とが、処理部Ｂ６にさらに具備されている。
【００７０】
このような構成の営業支援システムでは、画像処理プログラムおよび選択、承認、変更もしくは設定された検査パラメータに従って、リクエスト情報に含まれる画像データに対して画像処理が実行される。そして、その画像処理結果から検査対象物の外観の良否が判定され、画像処理結果（途中経過の画像処理結果を含んでもよい）および判定結果が、通信部９を通じて端末Ａに送信されることになる（図５参照）。
【００７１】
以上、第３実施形態によれば、第２実施形態と同様の効果が得られるほか、画像処理結果および判定結果がサーバから送信されてくるので、端末側の顧客がそれらを表示部の画面に表示するなどして確認することができる。また、顧客の入力操作に応じて画像処理プログラムを実行させることも可能である。
【００７２】
（第４実施形態）
図６は画像検査計測用製品の営業支援システムのブロック図、図７は図６の営業支援システム全体の概略図である。
【００７３】
第４実施形態の営業支援システムは、図６に示すように、端末Ａの処理部Ａ６の構成およびサーバＢの処理部Ｂ６の構成が第３実施形態のそれらと相違している。すなわち、端末Ａの処理部Ａ６には、リモート先から所望の情報をダウンロードするための通常の処理を行うダウンロード処理機能Ａ６７がさらに具備されている。そして、サーバＢの処理部Ｂ６には、画像処理アルゴリズム記憶部４および検査対象種別標準検査フロー記憶部５の情報をＷＷＷサーバ機能などで閲覧可能にした上で、端末Ａから、画像処理アルゴリズム記憶部４および検査対象種別標準検査フロー記憶部５で記憶されている各種情報のうち、所望の画像処理アルゴリズムおよび検査フローをダウンロードするための依頼を受けると、それらを、通信部９を通じて端末Ａに送信する処理を行うダウンロード処理機能Ｂ６７がさらに具備されている。
【００７４】
このような構成の営業支援システムでは、端末Ａ側の顧客が入力部１で通常のダウンロードのための入力操作を行うことで、画像処理アルゴリズム記憶部４および検査対象種別標準検査フロー記憶部５から、所望の画像処理アルゴリズムおよび検査フローをダウンロードすることができる。
【００７５】
以上、第４実施形態によれば、第３実施形態と同様の効果が得られるほか、所望の画像処理アルゴリズムおよび検査フローをダウンロードすることができるので、画像処理およびプログラミングに通じた顧客サイドで、画像データと所定データに基づいて画像処理プログラムを作成することができる。例えば、図７に示すように、顧客サイドで、「プログラム作成用ソフト」および「プログラム実行確認用ソフト」を用意して、これらにより画像検査計測用プログラム作成機能を端末Ａに付加すれば、画像データと所定データ（検査計測情報）に基づいて画像処理プログラムを作成することができる。
【００７６】
（第５実施形態）
図８は画像検査計測用製品の営業支援システムのブロック図、図９は図８の営業支援システム全体の概略図である。
【００７７】
第５実施形態の営業支援システムは、図８に示すように、サーバＢにおけるデータベースＤＢの構成および処理部Ｂ６の構成が第４実施形態のそれらと相違している。すなわち、データベースＤＢとして、画像処理アルゴリズムおよび検査フローを利用して画像処理プログラムを作成し、これを、端末Ａ側の顧客が扱う検査対象物としての製品の画像データに対して実行するためのアプリケーションを記憶しているアプリケーション記憶部１０がさらに具備されている。そして、処理部Ｂ６には、ダウンロード処理機能Ｂ６７の処理に加えて、アプリケーション記憶部１０の情報をＷＷＷサーバ機能などでさらに閲覧可能にした上で、端末Ａから、アプリケーション記憶部１０で記憶されているアプリケーションをダウンロードするための依頼を受けると、それを、通信部９を通じて端末Ａに送信する処理をさらに行うダウンロード処理機能Ｂ６７ａが具備されている。
【００７８】
このような構成の営業支援システムでは、端末Ａ側の顧客が入力部１で通常のダウンロードのための入力操作を行うことで、アプリケーション記憶部１０からアプリケーションをダウンロードすることができる。
【００７９】
以上、第５実施形態によれば、第４実施形態と同様の効果が得られるほか、ダウンロードしたアプリケーションを使用することで、別途ダウンロードした画像処理アルゴリズムおよび検査フローにより、所望の画像処理プログラム（画像検査計測用プログラム）を容易に作成することができる（図９参照）。
【００８０】
（第６実施形態）
図１０は画像検査計測用製品の営業支援システムのブロック図、図１１は図１０の営業支援システム全体の概略図である。
【００８１】
第６実施形態の営業支援システムは、図１０に示すように、端末Ａの処理部Ａ６の構成が第５実施形態のそれと相違している。ただし、サーバＢのアプリケーション記憶部１０には、画像処理アルゴリズムおよび検査フローを利用して画像処理プログラムを作成し、この作成された画像処理プログラムまたはサーバＢから配信されてきた画像処理プログラムを実行し、画像処理結果および検査対象物の外観の良否判定結果を得て表示部の画面に表示するためのものである。
【００８２】
つまり、第５実施形態でダウンロードしたアプリケーションを立ち上げることで、画像処理アルゴリズムおよび検査フローを利用して画像処理プログラムを作成する処理を行う画像処理プログラム作成処理機能Ａ６２と、作成された画像処理プログラムまたはサーバＢから配信されてきた画像処理プログラム（図１１では「作成された検査プログラム」）を、端末Ａ側の顧客が扱う検査対象物としての製品の画像データに対して実行し、画像処理結果および検査対象物の外観の良否判定結果を得て表示部２の画面に表示する処理を行う実行処理機能Ａ６３とが、端末Ａの処理部Ａ６にさらに具備されているのである。
【００８３】
このような構成の営業支援システムでは、端末Ａにおいて、画像処理プログラム作成処理機能Ａ６２により画像処理プログラムが作成され、実行処理機能Ａ６３により、画像処理結果および検査対象物の外観の良否判定結果が表示部２の画面に表示されることになる。
【００８４】
以上、第６実施形態によれば、第５実施形態と同様の効果が得られるほか、画像処理プログラムの作成と、その確認、つまり画像処理結果および検査対象物の外観の良否判定結果の確認とを顧客サイドで自由に実行することができるから、画像処理プログラムの修正を、ネットワークの混雑度に左右されずに自由に何度でもしかも迅速に行うことができる。
【００８５】
（第７実施形態）
図１２は画像検査計測用製品の営業支援システムのブロック図、図１３は図１２の営業支援システム全体の概略図である。
【００８６】
第７実施形態の営業支援システムは、図１２に示すように、サーバＢの処理部Ｂ６の構成が第６実施形態のそれと相違している。すなわち、画像処理結果および判定結果に基づいて、より適切な画像処理結果および判定結果を得るための改善情報（図１３では「検査条件改善情報」）を、通信部９を通じて端末Ａに送信する処理を行う改善情報送信処理機能Ｂ６８がさらに具備されている。
【００８７】
このような構成の営業支援システムでは、例えば、端末Ａからのリクエスト情報に応じて作成された画像処理プログラムによる実行結果が、リクエスト情報に含まれる画像データに起因して好ましいものにならなかった場合、画像処理結果および判定結果に基づいて、端末Ａ側の顧客が扱う製品の画像データをより適切に得るための撮像条件の情報がその端末Ａに送信される（図１３参照）。
【００８８】
以上、第７実施形態によれば、第６実施形態と同様の効果が得られるほか、画像処理結果および判定結果に基づいて、より適切な画像処理結果および判定結果を得るための改善情報が端末に送信されるから、その端末側の顧客がその改善情報を考慮して再度サーバにアクセスすれば、より良い画像処理結果および判定結果が得られる画像処理プログラムを取得することができる。
【００８９】
（第８実施形態）
図１４はリクエスト情報に含まれる画像データについての画像フォーマットの説明図である。
【００９０】
図１４の例では、端末Ａは、画像入力ボードなどを内蔵する汎用のパソコンなどで構成され、デジタルカメラまたは産業用ＣＣＤカメラなどの汎用の撮像部７が接続されている。そして、ハロゲンランプ、ストロボまたはＬＥＤ照明装置などの照明装置Ｌａにより照明された検査対象物Ｔが、汎用の撮像部７により撮像され、その画像データが端末Ａに取り込まれる構成になっている。
【００９１】
この構成の場合、サーバＢと互換性のない画像フォーマットで画像データが取り込まれてサーバＢに送信されたすれば、サーバＢは、端末Ａからのリクエスト情報に含まれる画像データを使用することができない。このため、第８実施形態では、リクエスト情報に含める画像データについて、使用可能な画像フォーマットを図１４の例に示すようなビットマップ、ＪＰＥＧおよびＴＩＦＦなどに指定するのである。つまり、第８実施形態では、リクエスト情報は、予め指定された画像フォーマットで保存された画像データを含むのである。これにより、予め指定された画像フォーマットの画像データを含むリクエスト情報がサーバＢに送信されることになる。
【００９２】
以上、第８実施形態によれば、第１〜第７実施形態と同様の効果が得られるほか、汎用の撮像部７で足りるから顧客の負担が軽くなる。
【００９３】
（第９実施形態）
図１５はリクエスト情報に含まれる画像データについての画像フォーマットの説明図である。
【００９４】
図１５の例では、端末Ａは、サーバＢ側から顧客が購入したあるいは顧客に貸与された専用装置であり、専用の撮像部７が接続されている。そして、照明装置Ｌａにより照明された検査対象物Ｔが、専用の撮像部７により撮像され、その画像データが、専用の画像フォーマット（図１５では「専用画像ファイル」）で暗号化された状態で端末Ａに取り込まれる構成になっている。つまり、第９実施形態では、リクエスト情報は、専用の画像フォーマットで暗号化されて保存された画像データを含むのである。これにより、専用の画像フォーマットで暗号化された画像データを含むリクエスト情報がサーバＢに送信されることになる。なお、サーバＢには、専用の画像フォーマットで暗号化された画像データを解読するための機能が組み込まれることになる。
【００９５】
以上、第９実施形態によれば、第１〜第８実施形態と同様の効果が得られるほか、顧客の画像データに対する機密性を高めることができる。
【００９６】
（第１０実施形態）
第１０実施形態では、リクエスト情報の所定データは、端末Ａ側の顧客が扱う製品の材質（例えばプラスチック）、形状（例えば長方形）、表面状態（例えば拡散反射する梨地）、色（例えばグレー）などの検査対象物の製品情報を含む。
【００９７】
これにより、例えば、製品の材質に応じた画像処理アルゴリズムのデータベースをもとに、画像処理プログラムを作成すれば、画像処理プログラム作成の効率化を図れる。
【００９８】
（第１１実施形態）
第１１実施形態では、リクエスト情報の所定データは、端末Ａ側の顧客が扱う製品の画像データについての撮像条件の情報を含む。その撮像条件には、照明方法（例えば拡散照明）、撮像スピード（例えば１／４０００）、撮像方向（例えば上面から）などがある。
【００９９】
これにより、例えば、照明方法（拡散照明や斜方照明）によって画像が異なる場合があるが、画像処理アルゴリズムのデータベースにより、それぞれに対応して想定される画像処理アルゴリズムの選定が可能になり、適切な画像処理プログラムの作成が可能になる。
【０１００】
（第１２実施形態）
第１２実施形態では、リクエスト情報の所定データは、端末Ａ側の顧客が扱う製品の画像データについてその製品の検査領域の情報を含む。その検査領域の情報には、例えば、端面から２ｍｍ内側の領域でボス穴は除くといった情報などがある。
【０１０１】
これにより、検査領域の情報をもとに、最適な画像処理アルゴリズムや検査領域の設定条件を組み合わせて、最適な画像処理プログラムを作成することができる。
【０１０２】
（第１３実施形態）
第１３実施形態では、リクエスト情報の所定データは、検査対象物の外観検査の判定についての情報を含む。その判定についての情報には、不良項目（例えばキズ、異物、バリ、汚れ）、不良・良品ランクなどがある。また、不良ランクには、不良の大きさによって重欠陥（長さあるいは直径ｍｍ以上）、中欠陥（長さあるいは直径１〜２ｍｍ）、軽欠陥（長さあるいは直径１ｍｍ未満）といった情報がある。
【０１０３】
これにより、例えば、不良項目の内容に基づき、画像処理アルゴリズムのデータベースから最適な画像処理アルゴリズムを選択することで、画像処理プログラムの作成の効率化を図れる。
【０１０４】
なお、リクエスト情報の所定データは、以下の（表１）に示すように、第１０〜第１３実施形態の各情報を含むものでもよい。
【０１０５】
【表１】
0004709418.tif 000002
【０１０６】
ただし、上記（表１）には、不良検出率（ムダバネ率、見逃し率）がさらに含められている。この不良検出率に基づくと、上下限値を調整することができ、画像処理プログラムの作成の効率化を図れる。
【０１０７】
（第１４実施形態）
図１６はリクエスト情報の説明図である。
【０１０８】
第１４実施形態では、リクエスト情報は、図１６に示すように、画像データおよび所定データ（同図では検査計測情報）が一体化したデータである。図１６の例では、画像データおよび所定データを一ファイルに格納し、このファイルがリクエスト情報として端末ＡからサーバＢに送信されている。そして、サーバＢでは、その一ファイルのリクエスト情報から画像データおよび所定データが取り出されて、画像処理プログラムの作成に利用されることになる。これにより、画像処理プログラムの作成のためのデータ管理が容易になる。
【０１０９】
（第１５実施形態）
図１７は画像検査計測用製品の営業支援システムのブロック図である。
【０１１０】
第１５実施形態の営業支援システムは、図１７に示すように、サーバＢにおけるデータベースＤＢの構成および処理部Ｂ６の構成が第７実施形態のそれらと相違している。すなわち、データベースＤＢとして、検査対象物の外観検査についてのオンラインマニュアル情報を記憶しているオンラインマニュアル情報記憶部１１がさらに具備されている。そして、オンラインマニュアル情報記憶部１１の情報をＷＷＷサーバ機能などで閲覧可能にした上で、端末Ａから、オンラインマニュアル情報記憶部１１で記憶されている情報を閲覧するための依頼を受けると、その情報（例えば画像処理、光学系、機構系などの情報）を、通信部９を通じて端末Ａに送信する処理を行う情報提供処理機能Ｂ６９が、処理部Ｂ６にさらに具備されている。オンラインマニュアル情報には、例えば、検出したい不良項目に応じた画像処理アルゴリズム（フィルタ処理、ノイズ除去、マッチング、位置補正など）、検査対象の表面状態に応じた照明方法（拡散照明、斜方照明、透過照明など）、高速移動物体の撮像方法（ストロボ使用、ランダムシャッタ機能使用など）がある。
【０１１１】
このような構成の営業支援システムでは、例えば、端末Ａ側の顧客が、ブラウザを立ち上げ、入力部１を用いて通常の入力操作を行うことで、オンラインマニュアル情報記憶部１１から所望の情報を表示部２の画面に表示させることができる。
【０１１２】
以上、第１５実施形態によれば、第７実施形態と同様の効果が得られるほか、専門知識を要する外観検査に関する情報を端末側の顧客に提供することができ、画像検査計測用製品の営業を支援することができる。
【０１１３】
（第１６実施形態）
図１８は画像検査計測用製品の営業支援システムのブロック図である。
【０１１４】
第１６実施形態の営業支援システムは、図１８に示すように、サーバＢにおけるデータベースＤＢの構成および処理部Ｂ６の構成が第１５実施形態のそれらと相違している。すなわち、データベースＤＢとして、検査対象物の外観検査についての顧客からのあるいは想定される質問および回答の情報を記憶しているＱ＆Ａ情報記憶部１２がさらに具備されている。そして、処理部Ｂ６には、情報提供処理機能Ｂ６９の処理に加えて、端末Ａから、Ｑ＆Ａ情報記憶部１２で記憶されている情報を閲覧するための依頼を受けると、その情報を、通信部９を通じて端末Ａに送信する処理をさらに行う情報提供処理機能Ｂ６９ａが具備されている。上記質問および回答の情報には、例えば、視野サイズとレンズおよびＣＣＤのサイズとの関係に関する質問とそれに対する回答（レンズの焦点距離、レンズとＣＣＤ間の距離、ワークディスタンスとの関係を表で示す）などがある。
【０１１５】
このような構成の営業支援システムでは、例えば、端末Ａ側の顧客が、ブラウザを立ち上げ、入力部１を用いて通常の入力操作を行うことで、Ｑ＆Ａ情報記憶部１２から所望の情報を表示部２の画面に表示させることができる。
【０１１６】
以上、第１６実施形態によれば、第１５実施形態と同様の効果が得られるほか、サービスに伴うコストの低減が可能になる。また、顧客にとっては知りたい情報を効率的に得ることができ、サーバ側にとってはデータベースの蓄積につながる。
【０１１７】
（第１７実施形態）
図１９は画像検査計測用製品の営業支援システムのブロック図である。
【０１１８】
第１７実施形態の営業支援システムは、図１９に示すように、サーバＢにおけるデータベースＤＢの構成および処理部Ｂ６の構成が第１６実施形態のそれらと相違している。すなわち、データベースＤＢとして、検査対象物の外観検査についての事例情報を記憶している事例情報記憶部１３がさらに具備されている。そして、処理部Ｂ６には、情報提供処理機能Ｂ６９ａの処理に加えて、端末Ａから、事例情報記憶部１３で記憶されている情報を閲覧するための依頼を受けると、その情報を、通信部９を通じて端末Ａに送信する処理をさらに行う情報提供処理機能Ｂ６９ｂが具備されている。上記事例情報には、例えば検査対象物の製品分類（成形品、金属プレス部品、チップ電子部品など）や検査スピード（タクト）やシステム構成、主な画像処理アルゴリズムなどの情報がある。
【０１１９】
このような構成の営業支援システムでは、例えば、端末Ａ側の顧客が、ブラウザを立ち上げ、入力部１を用いて通常の入力操作を行うことで、事例情報記憶部１３から所望の情報を表示部２の画面に表示させることができる。
【０１２０】
以上、第１７実施形態によれば、第１６実施形態と同様の効果が得られるほか、端末Ａ側の顧客は、事例情報記憶部１３からの情報を、サーバＢ側によって販売される画像検査計測用製品の購入の参考にすることができる。
【０１２１】
（第１８実施形態）
図２０は画像検査計測用製品の営業支援システムのブロック図、図２１は図２０の営業支援システム全体の概略図である。
【０１２２】
第１８実施形態の営業支援システムは、図２０に示すように、サーバＢにおけるデータベースＤＢの構成および処理部Ｂ６の構成が第１７実施形態のそれらと相違している。すなわち、データベースＤＢとして、各種画像検査計測用製品の情報を記憶している製品情報記憶部１４がさらに具備されている。そして、処理部Ｂ６には、製品情報記憶部１４からリクエスト情報に合った情報を抽出して通信部９を通じて端末Ａに送信する処理を行う製品情報提供処理機能Ｂ７０がさらに具備されている。上記各種画像検査計測用製品の情報には、例えば小型部品の精密な検査が必要な顧客に対して提案される高分解能カメラ対応画像処理装置、低コストを条件とする顧客に対して提案される省機能で安価な画像処理装置などの情報がある。
【０１２３】
ただし、図２１において、データベースＤＢ内の「外観検査ノウハウ」は、オンラインマニュアル情報記憶部１１の情報に対応し、「よくある質問と回答（ＦＡＱ）」はＱ＆Ａ情報記憶部１２の情報に対応し、「外観検査事例」は事例情報記憶部１３の情報に対応し、そして「製品紹介（顧客ニーズに適した製品）」は製品情報記憶部１４の情報に対応している。
【０１２４】
このような構成の営業支援システムでは、製品情報記憶部１４からリクエスト情報に合った情報が抽出されて顧客に送信されることになる。
【０１２５】
以上、第１８実施形態によれば、第１７実施形態と同様の効果が得られるほか、顧客のニーズに合った画像検査計測用製品を提案することができる。
【０１２６】
（第１９実施形態）
図２２は画像検査計測用製品の営業支援システムのブロック図、図２３は図２０の営業支援システムによる課金処理の説明図である。
【０１２７】
第１９実施形態の営業支援システムは、図２２に示すように、サーバＢにおける処理部Ｂ６の構成が第１８実施形態のそれと相違している。すなわち、処理部Ｂ６には、端末Ａ側の顧客に対して、当該サーバＢから配信ないしダウンロードされた情報に応じて課金をするための処理を行う課金処理機能Ｂ７１が設けられている。
【０１２８】
このような構成の営業支援システムでは、端末Ａ側の顧客に対して、サーバＢから配信ないしダウンロードされた情報に応じて課金されることになる。例えば図２３に示すように、顧客が、３つの検査プログラム（作成した画像処理プログラム）Ｐ１〜Ｐ３と、画像処理アルゴリズムのパッケージ（同図では「クラック検査パッケージ」）とをダウンロードした場合、検査プログラムＰ１〜Ｐ３分の料金（プログラム料金×３）とクラック検査パッケージ分の料金（パッケージ料金×１）との合計金額を端末Ａ側の顧客に対して課金するための処理が実行される。
【０１２９】
以上、第１９実施形態によれば、第１８実施形態と同様の効果が得られるほか、顧客主導でサーバＢから配信ないしダウンロードされた情報のみに課金されるので、顧客に対する請求額が必要最小限となる。
【０１３０】
（第２０実施形態）
図２４は画像検査計測用製品の営業支援システムのブロック図、図２５は図２４の営業支援システムによる課金処理の説明図である。
【０１３１】
第２０実施形態では、配信される画像処理プログラムは、一定期間（図２５の例では１か月）無料で試用することができるシェアウエアになっている。このため、第２０実施形態の処理部Ｂ６には、上記一定期間の経過後も配信された画像処理プログラムを継続使用可能にするための所定料金を顧客に課金するための処理を行う課金処理機能Ｂ７１ａが、課金処理機能Ｂ７１に代えて設けられる。ここで、上記所定料金の支払いが確認されると、配信された画像処理プログラムを継続使用可能にするための例えば電子キー（コード）が付与される。
【０１３２】
例えば、顧客が、画像処理プログラム作成処理機能Ａ６２および実行処理機能Ａ６３を端末Ａに付加するためのアプリケーションと、画像処理プログラム（図２５では「検査プログラム」）とをダウンロードした場合、最初の１か月の試用期間は、それらを無料で使うことができる。そして、試用期間が過ぎると、所定料金の支払いが確認されていなければ、電子キーが付与されないので、顧客はそれらを使用することができなくなる。一方、所定料金の支払いが確認されていれば、電子キーが付与されているので、その電子キーを使用することにより顧客はそれらを継続して使用することができる。
【０１３３】
以上、第２０実施形態によれば、第１８実施形態と同様の効果が得られるほか、配信される画像処理プログラムを一定期間無料で試用することができ、その機能や操作性を確認できるので、少なくとも画像処理プログラムを購入しようとする顧客にとっての購入に伴うリスクが軽減する。
【０１３４】
なお、上記所定料金は、購入料金でも、あるいは所定の延長期間だけ使用するための延長料金でもよい。
【０１３５】
（第２１実施形態）
図２６は画像検査計測用製品の営業支援システムのブロック図、図２７は図２６の営業支援システムによる課金処理の説明図である。
【０１３６】
第２１実施形態では、課金については、基本料金と追加料金とがあり、サーバＢの処理部Ｂ６には、基本料金以上の情報をサーバＢから取得した顧客に対しては、その超過した分に応じて追加料金を課金するための処理を行う課金処理機能Ｂ７１ｂが、課金処理機能Ｂ７１ａに代えて設けられる。
【０１３７】
例えば図２７に示すように、基本料金には、画像処理プログラム作成処理機能Ａ６２および実行処理機能Ａ６３を端末Ａに付加するためのアプリケーションの購入料金と、画像処理プログラム（検査プログラム）の購入料金と、各種情報へのアクセスのサービス料金とが含まれる。そして、これ以外の追加の検査プログラムや前述のクラック検査パッケージなどについては、追加料金が課せられることになる。
【０１３８】
以上、第２１実施形態によれば、第１８実施形態と同様の効果が得られるほか、適切な価格で、様々な顧客に対するソフトウエアの販売および情報提供のサービスが可能になる。また、初期投資を低く抑え、徐々に端末Ａ側の画像処理システムを拡張していくことができる。
【０１３９】
【発明の効果】
以上のことから明らかなように、請求項１記載の発明によれば、各顧客からの要求に個々に合わせて作成された画像処理プログラム自体の販売を可能にするとともに営業的に採算がとれるものにすることができ、また、配信される画像処理プログラムを一定期間無料で試用することができるようにすれば、少なくとも画像処理プログラムを購入しようとする顧客にとっての購入に伴うリスクを軽減することが可能になり、さらに、ネットワークを介して、顧客主導で画像処理プログラムが配信されるので、スピーディな営業活動が可能になるとともに、販売に伴うエンジニアリングコストの低減が可能となる。しかも、ガイダンスに従って画像処理プログラムが作成されることになるから、画像処理に関する知識を持たない顧客でも、自らの操作入力で画像処理プログラムを作成して取得することができる。
【０１４１】
請求項２記載の発明によれば、画像処理結果および判定結果がサーバから送信されてくるから、端末側の顧客がそれらを表示手段の画面に表示するなどして確認することができる。また、顧客の入力操作に応じて画像処理プログラムを実行させることも可能である。
【０１４２】
請求項３記載の発明によれば、所望の画像処理アルゴリズムおよび検査フローをダウンロードすることができるから、画像処理およびプログラミングに通じた顧客サイドで、画像データと所定データに基づいて画像処理プログラムを作成することができる。
【０１４３】
請求項４記載の発明によれば、ダウンロードしたアプリケーションを使用することで、別途ダウンロードした画像処理アルゴリズムおよび検査フローにより、所望の画像処理プログラムを容易に作成することができる。
【０１４４】
請求項５記載の発明によれば、画像処理プログラムの作成と、その確認、つまり画像処理結果および検査対象物の外観の良否判定結果の確認とを顧客サイドで自由に実行することができるから、画像処理プログラムの修正を、ネットワークの混雑度に左右されずに自由に何度でもしかも迅速に行うことができる。
【０１４５】
請求項６記載の発明によれば、画像処理結果および判定結果に基づいて、より適切な画像処理結果および判定結果を得るための改善情報が端末に送信されるから、その端末側の顧客がその改善情報を考慮して再度サーバにアクセスすれば、より良い画像処理結果および判定結果が得られる画像処理プログラムを取得することができる。
【０１４６】
請求項７記載の発明によれば、汎用の画像撮像装置で足りるから顧客の負担が軽くなる。
【０１４７】
請求項８記載の発明によれば、検査対象物が、例えば開発中の製品などの機密的なものであっても、その画像データのセキュリティ度が高まるから、顧客が安心して画像データを送受信して画像処理プログラムの作成が行え、画像検査計測用製品を試行し注文することができる。
【０１４８】
請求項９記載の発明によれば、例えば、製品の材質に応じた画像処理アルゴリズムをもとに、画像処理プログラムを作成すれば、画像処理プログラム作成の効率化を図れる。
【０１４９】
請求項１０記載の発明によれば、適切な画像処理プログラムの作成が可能になる。
【０１５０】
請求項１１記載の発明によれば、最適な画像処理プログラムを作成することができる。
【０１５１】
請求項１２記載の発明によれば、画像処理プログラムの作成の効率化を図れる。
【０１５２】
請求項１３記載の発明によれば、画像処理プログラムの作成のためのデータ管理が容易になる。
【０１５３】
請求項１４記載の発明によれば、専門知識を要する外観検査に関する情報を端末側の顧客に提供することができ、画像検査計測用製品の営業を支援することができる。
【０１５４】
請求項１５記載の発明によれば、サービスに伴うコストの低減が可能になる。
【０１５５】
請求項１６記載の発明によれば、端末側の顧客は、事例情報記憶手段からの情報を、サーバ側によって販売される画像検査計測用製品の購入の参考にすることができる。
【０１５６】
請求項１７記載の発明によれば、顧客のニーズに合った画像検査計測用製品を提案することができる。
【０１５７】
請求項１８記載の発明によれば、顧客主導でサーバから配信ないしダウンロードされた情報のみに課金されるから、顧客に対する請求額が必要最小限となる。
【０１５８】
請求項１９記載の発明によれば、配信される画像処理プログラムを一定期間無料で試用することができ、その機能や操作性を確認できるから、少なくとも画像処理プログラムを購入しようとする顧客にとっての購入に伴うリスクが軽減する。
【０１５９】
請求項２０記載の発明によれば、初期投資を低く抑え、徐々に端末側の画像処理システムを拡張していくことができる。
【０１６０】
請求項２１記載の発明によれば、各顧客からの要求に個々に合わせて作成された画像処理プログラム自体の販売を可能にするとともに営業的に採算がとれるものにすることができ、また、配信される画像処理プログラムを一定期間無料で試用することができるようにすれば、少なくとも画像処理プログラムを購入しようとする顧客にとっての購入に伴うリスクを軽減することが可能になり、さらに、ネットワークを介して、顧客主導で画像処理プログラムが配信されるので、スピーディな営業活動が可能になるとともに、販売に伴うエンジニアリングコストの低減が可能となる。しかも、ガイダンスに従って画像処理プログラムが作成されることになるから、画像処理に関する知識を持たない顧客でも、自らの操作入力で画像処理プログラムを作成して取得することができる。
【０１６１】
請求項２２記載の発明によれば、各顧客からの要求に個々に合わせて作成された画像処理プログラム自体の販売を可能にするとともに営業的に採算がとれるものにすることができ、また、配信される画像処理プログラムを一定期間無料で試用することができるようにすれば、少なくとも画像処理プログラムを購入しようとする顧客にとっての購入に伴うリスクを軽減することが可能になり、さらに、ネットワークを介して、顧客主導で画像処理プログラムが配信されるので、スピーディな営業活動が可能になるとともに、販売に伴うエンジニアリングコストの低減が可能となる。しかも、ガイダンスに従って画像処理プログラムが作成されることになるから、画像処理に関する知識を持たない顧客でも、自らの操作入力で画像処理プログラムを作成して取得することができる。
【図面の簡単な説明】
【図１】画像検査計測用製品の営業支援システムのブロック図である。
【図２】図１の営業支援システム全体の概略図である。
【図３】画像検査計測用製品の営業支援システムのブロック図である。
【図４】画像検査計測用製品の営業支援システムのブロック図である。
【図５】図４の営業支援システム全体の概略図である。
【図６】画像検査計測用製品の営業支援システムのブロック図である。
【図７】図６の営業支援システム全体の概略図である。
【図８】画像検査計測用製品の営業支援システムのブロック図である。
【図９】図８の営業支援システム全体の概略図である。
【図１０】画像検査計測用製品の営業支援システムのブロック図である。
【図１１】図１０の営業支援システム全体の概略図である。
【図１２】画像検査計測用製品の営業支援システムのブロック図である。
【図１３】図１２の営業支援システム全体の概略図である。
【図１４】リクエスト情報に含まれる画像データについての画像フォーマットの説明図である。
【図１５】リクエスト情報に含まれる画像データについての画像フォーマットの説明図である。
【図１６】リクエスト情報の説明図である。
【図１７】画像検査計測用製品の営業支援システムのブロック図である。
【図１８】画像検査計測用製品の営業支援システムのブロック図である。
【図１９】画像検査計測用製品の営業支援システムのブロック図である。
【図２０】画像検査計測用製品の営業支援システムのブロック図である。
【図２１】図２０の営業支援システム全体の概略図である。
【図２２】画像検査計測用製品の営業支援システムのブロック図である。
【図２３】図２０の営業支援システムによる課金処理の説明図である。
【図２４】画像検査計測用製品の営業支援システムのブロック図である。
【図２５】図２４の営業支援システムによる課金処理の説明図である。
【図２６】画像検査計測用製品の営業支援システムのブロック図である。
【図２７】図２６の営業支援システムによる課金処理の説明図である。
【図２８】本出願人により別途提案の外観検査プログラム作成装置のブロック図である。
【図２９】図２８の各ブロックの説明図である。
【図３０】図２８の外観検査プログラム作成装置を用いて行われる外観検査プログラムの作成手順を示す流れ図である。
【符号の説明】
Ａ  端末
Ａ６  処理部
Ｂ  サーバ
Ｂ６  処理部
１  入力部
２  表示部
３ａ  画像データ記憶部
４  画像処理アルゴリズム記憶部
５  検査対象種別標準検査フロー記憶部
７  撮像部
８，９  通信部
１０  アプリケーション記憶部
１１  オンラインマニュアル情報記憶部
１２  Ｑ＆Ａ情報記憶部
１３  事例情報記憶部
１４  製品情報記憶部
【図１】
0004709418.tif 000003
【図２】
0004709418.tif 000004
【図３】
0004709418.tif 000005
【図４】
0004709418.tif 000006
【図５】
0004709418.tif 000007
【図６】
0004709418.tif 000008
【図７】
0004709418.tif 000009
【図８】
0004709418.tif 000010
【図９】
0004709418.tif 000011
【図１０】
0004709418.tif 000012
【図１１】
0004709418.tif 000013
【図１２】
0004709418.tif 000014
【図１３】
0004709418.tif 000015
【図１４】
0004709418.tif 000016
【図１５】
0004709418.tif 000017
【図１６】
0004709418.tif 000018
【図１７】
0004709418.tif 000019
【図１８】
0004709418.tif 000020
【図１９】
0004709418.tif 000021
【図２０】
0004709418.tif 000022
【図２１】
0004709418.tif 000023
【図２２】
0004709418.tif 000024
【図２３】
0004709418.tif 000025
【図２４】
0004709418.tif 000026
【図２５】
0004709418.tif 000027
【図２６】
0004709418.tif 000028
【図２７】
0004709418.tif 000029
【図２８】
0004709418.tif 000030
【図２９】
0004709418.tif 000031
【図３０】
0004709418.tif 000032